(57)【要約】      （修正有）【課題】空気取込口から取り込まれる空気抵抗を著しく増大させることなく、冷却用ファンによって物体を損傷したり、空気取込口の開口から異物が吸い込まれることを防止できる冷却用ファンの保護部材を提供すること。【解決手段】冷却用ファンのカバー部に装着するために装着部４１と、その表面側に設けた通気性を有する多孔材料からなる緩衝部４２とを備えてなり、装着部４１は、網目構造の粘着剤シートからなり、緩衝部４２は、エラストマ製のモノフィラメントが不規則に交絡し、交絡点が融着してなる三次元網状構造体からなる。【選択図】図２
0003223858.tif 000002
【実用新案登録請求の範囲】
【請求項１】
冷却用ファンのカバー部に装着して用いられる冷却用ファンの保護部材であって、冷却用ファンのカバー部に装着するために装着部と、その表面側に設けた通気性を有する多孔材料からなる緩衝部とを備えてなることを特徴とする冷却用ファンの保護部材。
【請求項２】
前記装着部と緩衝部とが、一体化されてなることを特徴とする請求項１に記載の冷却用ファンの保護部材。
【請求項３】
前記装着部が、網目構造の粘着剤シートからなり、前記緩衝部が、エラストマ製のモノフィラメントが不規則に交絡し、交絡点が融着してなる三次元網状構造体からなることを特徴とする請求項１又は２に記載の冷却用ファンの保護部材。
【考案の詳細な説明】
【技術分野】
【０００１】
本考案は、冷却用ファンの保護部材に関し、例えば、冷却衣服に取り付けられる冷却用ファンの保護部材に関するものである。
【背景技術】
【０００２】
従来、夏の屋内外の作業所、工事現場、搬送作業現場のような、高温環境下で作業する場合、体温の上昇を抑制することが必要となる。
しかし、このような環境下では、安全性や機能性の面から、生地が厚い衣服が着用されている。
高温環境下で長時間の作業を行う場合、体外に熱を充分に放出することができないため、過度の体温上昇を引き起こして熱中症を発症するおそれがある。
【０００３】
このような高温環境下で作業する時に着用する衣服として、従来から、冷却衣服が使用されている。例えば、冷却用ファンを取り付けた冷却衣服が提案され、実用化されている（例えば、特許文献１〜２参照。）。
【先行技術文献】
【特許文献】
【０００４】
【特許文献１】特許第４３２９１１８号公報
【特許文献２】特許第６０７８９３７号公報
【考案の概要】
【考案が解決しようとする課題】
【０００５】
ところで、図１に示すように、従来の冷却衣服１に取り付けられる冷却用ファン２は、異物の巻き込みを防止するために、冷却用ファン２の表面側に粗目の空気取込口が形成されたカバー部３を設けるようにしている。
しかしながら、カバー部３は、通常、硬質の合成樹脂製のものからなるため、作業中に作業者が周囲の物体にぶつかって冷却用ファン２によって当該物体を損傷するという問題や、空気抵抗を小さくするために粗目に形成されている個々の空気取込口の開口から、それより小さい異物が吸い込まれるという問題があった。
この異物が吸い込まれる問題に対処するために、薄い不織布シートからなるフィルタをカバー部に取り付けることも提案されているが、空気抵抗が増すことによって冷却性能が低下するという問題があり、また、この対処方法によっては、冷却用ファン２によって作業者の周囲にある物体を損傷するという問題を解消することは困難であった。
【０００６】
本考案は、上記従来の冷却用ファンの有する問題点に鑑み、空気取込口から取り込まれる空気抵抗を著しく増大させることなく、冷却用ファンによって物体を損傷したり、空気取込口の開口から異物が吸い込まれることを防止できる冷却用ファンの保護部材を提供することを目的とする。
【課題を解決するための手段】
【０００７】
上記目的を達成するため、本考案の冷却用ファンの保護部材は、冷却用ファンのカバー部に装着して用いられる冷却用ファンの保護部材であって、冷却用ファンのカバー部に装着するために装着部と、その表面側に設けた通気性を有する多孔材料からなる緩衝部とを備えてなることを特徴とする。
【０００８】
この場合において、前記装着部と緩衝部とが、一体化されてなるようにすることができる。
【０００９】
また、前記装着部が、網目構造の粘着剤シートからなり、前記緩衝部が、エラストマ製のモノフィラメントが不規則に交絡し、交絡点が融着してなる三次元網状構造体からなるようにすることができる。
【考案の効果】
【００１０】
本考案の冷却用ファンの保護部材によれば、保護部材によって冷却用ファンのカバー部の空気取込口から取り込まれる空気抵抗を著しく増大させることなく、冷却用ファンによって物体を損傷したり、空気取込口の開口から異物が吸い込まれることを防止することができる。
【図面の簡単な説明】
【００１１】
【図１】本考案の冷却用ファンの保護部材を適用する冷却衣服の例を示す背面図である。
【図２】本考案の冷却用ファンの保護部材の一実施例を示す説明図である。
【図３】本考案の冷却用ファンの保護部材の製造工程を示すフロー図である。
【考案を実施するための形態】
【００１２】
以下、本考案の冷却用ファンの保護部材の実施の形態を、図面に基づいて説明する。
【００１３】
図２に、本考案の冷却用ファンの保護部材の一実施例を示す。
この冷却用ファンの保護部材は、図１に示す冷却衣服１に取り付けられる冷却用ファン２のカバー部３に装着して用いられる冷却用ファンの保護部材４であって、冷却用ファン２のカバー部３に装着するために装着部４１と、その表面側に設けた通気性を有する多孔材料からなる緩衝部４２とを備えてなるものである。
【００１４】
そして、本実施例において、装着部４１には、網目構造の粘着剤シート、より具体的には、網目構造のポリエチレンシートからなる基材の表面にアクリル系粘着剤を塗布した粘着剤シートを用いるようにしている。
また、緩衝部４２は、エラストマ製のモノフィラメントが不規則に交絡し、交絡点が融着してなる三次元網状構造体からなり、さらに、装着部４１と緩衝部４２とが、一体化されてなるようにした通気性及び緩衝性を備えた多孔材料を用いるようにしている。エラストマ製のモノフィラメントの線径は、良好な通気性を維持するために、０．１〜２ｍｍ程度、好ましくは、０．５〜１．５ｍｍ程度（本実施例においては、約１ｍｍ）に設定することが好ましい。
【００１５】
この冷却用ファンの保護部材４は、例えば、図３に示すように、以下の製造工程で製造することができる。
（１）装着部４１を構成する網目構造の粘着剤シート（離型紙４３付き）と、緩衝部４２を構成する三次元網状構造体とを用意する。
（２）両者を積層し（積層工程）、対象の冷却用ファン２のカバー部３の全面を覆うことができる所定の形状（通常、円形。）に打ち抜く（打抜工程）。
（３）金型内で加熱し、一体化させる（加熱一体化工程）。ここで、打ち抜いた状態で、緩衝部４２を構成する三次元網状構造体の角が立っている縁部を、金型の内面に当接させることによって、Ｒ面に形成するようにする。
【００１６】
この場合において、装着部４１は、緩衝部４２を冷却用ファン２のカバー部３に装着することができるものであれば、本実施例の粘着剤シートに限定されず、例えば、機械構造的な装着部材を用いることができる。
【００１７】
緩衝部４２は、オレフィン系等の熱可塑性エラストマ、熱硬化性エラストマのほか、ウレタンフォーム等の連続気泡多孔材料等、通気性及び緩衝性を備えたものであれば、任意の材料を用いることができる。
【００１８】
この冷却用ファンの保護部材４によれば、保護部材４によって冷却用ファン２のカバー部３の空気取込口から取り込まれる空気抵抗を著しく増大させることなく、冷却用ファン２によって物体を損傷したり、空気取込口の開口から異物が吸い込まれることを防止することができる。
【００１９】
以上、本考案の冷却用ファンの保護部材について、その実施例に基づいて説明したが、本考案は上記実施例に記載した構成に限定されるものではなく、その趣旨を逸脱しない範囲において適宜その構成を変更することができるものである。
【産業上の利用可能性】
【００２０】
本考案の冷却用ファンの保護部材は、空気取込口から取り込まれる空気抵抗を著しく増大させることなく、冷却用ファンによって物体を損傷したり、空気取込口の開口から異物が吸い込まれることを防止できるという特性を有していることから、冷却衣服に取り付けられる冷却用ファンの保護部材としての用途に好適に用いることができるほか、各種冷却用ファンの保護部材としての用途にも広く用いることができる。
【符号の説明】
【００２１】
１  冷却衣服
２  冷却用ファン
３  カバー部
４  冷却用ファンの保護部材
４１  装着部
４２  緩衝部
４３  離型紙
【図１】
0003223858.tif 000003
【図２】
0003223858.tif 000004
【図３】
0003223858.tif 000005